(57)【要約】【課題】椅子、机、棚、ハンガーラック等、様々な用途に使用できる家具を提供する。【解決手段】上下の横材４，５を簀の子状に複数の縦材６で繋いだ一対の方形状側枠１と、その後部間に立てられる背板２と、両側枠１間に水平に向けて着脱自在に架設される平板３とから成り、両側枠１に、ボルトの挿入穴７を上下に間隔をおいて多数設け、任意の挿入穴７を介して取付用ボルト１０を平板３の端面にねじ込むことにより、平板３を側枠１に対して高さ調整自在に固定し、両側枠１の上下の横材４，５に、積上時の連結用ボルトの挿入穴８を設けたものとする。側枠１に対する平板３の高さを変化させたり、複数個積み上げたり、ハンバーパイプを取り付けたりして、様々な用途に使用できる。【選択図】  図１
2004313251.tif 000002
【特許請求の範囲】
【請求項１】
一対の方形状側枠１と、その後部間に立てられる背板２と、両側枠１間に水平に向けて着脱自在に架設される平板３とから成り、前記側枠１は、上下の横材４，５を簀の子状に複数の縦材６で繋いで形成し、両側枠１に、ボルトの挿入穴７を上下に間隔をおいて多数設け、任意の挿入穴７を介して取付用ボルト１０を平板３の端面にねじ込むことにより、平板３を側枠１に対して高さ調整自在に固定し、両側枠１の上下の枠材４，５に、積上時の連結用ボルトの挿入穴８を設けた多用途家具。
【請求項２】
請求項１に記載の家具を構成単位体として複数個積み上げ、上段側単位体の側枠１の下部横材５と、下段側単位体の側枠１の上部横材４とに連結用ボルト１１を挿通して、単位体同士を連結した多用途家具。
【請求項３】
ハンガーパイプ１４の両端に保持材１５を取り付けてハンガーユニット１３を形成し、前記側枠１に穿設されたボルトの挿入穴７を介して、保持材１５に取付用ボルト１０をねじ込むことにより、ハンガーユニット１３を側枠１に固定するようにした請求項１又は２に記載の多用途家具。
【発明の詳細な説明】
【０００１】
【発明の属する技術分野】
この発明は、椅子、机、棚、ハンガーラック等、様々な用途に使用できる家具に関するものである。
【０００２】
【従来の技術】
例えば、子供用の椅子として、下記特許文献１には、図１０に示すように、斜材５３と縦材５４とを上部で山形に接合した一対の側枠５１と、その間に架設される座板５２とから成り、斜材５３及び縦材５４に設けた複数の挿入穴５５のいずれかを介してボルト５６を座板５２の端面にねじ込むと、子供の身長に応じて座板５２を適宜の高さに固定できる構造のものが記載されている。
【０００３】
【特許文献１】
実開平６−８４９４７号公報
【０００４】
【発明が解決しようとする課題】
しかしながら、上記のような椅子は、用途が限定されているため、子供が大きく成長して別の椅子を購入した場合などには、粗大ごみとして廃棄せざるを得なくなるという問題がある。
【０００５】
そこで、この発明は、椅子、机、棚、ハンガーラック等、様々な用途に使用できる家具を提供しようとするものである。
【０００６】
【課題を解決するための手段】
上記課題を解決するため、この発明は、上下の横材を簀の子状に複数の縦材で繋いだ一対の方形状側枠と、その後部間に立てられる背板と、両側枠間に水平に向けて着脱自在に架設される平板とから成り、両側枠に、ボルトの挿入穴を上下に間隔をおいて多数設け、任意の挿入穴を介して取付用ボルトを平板の端面にねじ込むことにより、平板を側枠に対して高さ調整自在に固定し、両側枠の上下の枠材に、積上時の連結用ボルトの挿入穴を設けた家具を提供する。
【０００７】
この家具は、平板を座板として適宜の高さに設定すると、子供用や大人用の椅子として使用でき、また、平板を側枠の上部に固定して机として使用することもできるほか、平板を棚板とする棚として使用することもできる。
【０００８】
また、上記家具を構成単位体として複数個積み上げ、上段側単位体の側枠の下部横材と、下段側単位体の側枠の上部横材とに連結用ボルトを挿通して、単位体同士を連結すると、背の高い棚として使用することもできる。
【０００９】
さらに、ハンガーパイプの両端に保持材を取り付けてハンガーユニットを形成し、前記側枠に穿設されたボルトの挿入穴を介して、保持材に取付用ボルトをねじ込むことにより、ハンガーユニットを側枠に固定すると、ハンガーラックとして使用することもできる。
【００１０】
【発明の実施の形態】
以下、この発明の実施の形態を添付図面に基づいて説明する。
【００１１】
この多用途家具は、天然木を素材とするものであり、図１に示すように、方形状の一対の側枠１と、その後部間に立てられる背板２と、両側枠１間に水平に向けて着脱自在に架設される複数枚の平板３とから構成される。
【００１２】
側枠１は、上下の横材４，５を簀の子状に複数の縦材６で繋いで形成され、両側の縦材６には、ボルトの挿入穴７が上下に間隔をおいて２列に多数設けられ、これらの挿入穴７は、縦材６の内外両面に貫通している。また、上部横材４の前後部にもこのような挿通穴７が設けられている。
【００１３】
側枠１の上部横材４には、上面にボルトの挿入穴８が設けられ、内面にナットの挿入穴９が挿入穴８に連通するように設けられている。下部横材５には、上下両面に貫通するボルトの挿入穴８が設けられている。
【００１４】
背板２もまた、上下の横材を簀の子状に複数の縦材で繋いだものとされ、その横材の端面と、平板３の端面には、ナット１６が圧入されている。
【００１５】
上記のような各部材から図２に示すような幼児用の椅子を組み立てるには、挿入穴７を介して、取付用ボルト１０を背板２の横材端面に圧入されたナットにねじ込むことにより、一方の側枠１と背板２とを固定し、同様にして、他方の側枠１と背板２とを、取付用ボルト１０により固定する。
【００１６】
そして、座板となる平板３の高さを決め、挿入穴７を介して取付用ボルト１０を平板３の端面に圧入されたナットにねじ込むことにより、この平板３を両側枠１に固定し、その下方にも同様にして補強用の平板３を固定する。
【００１７】
また、この家具は、座板となる平板３を比較的低い位置に固定すると、背板２を背凭れとする大人用の椅子として使用でき、図３に示すように、天板となる平板３を高い位置に固定すると、小型の椅子１７と組み合わせて、幼児用の机として使用することができる。
【００１８】
また、図４に示すように、この家具を台として椅子１７を載せると、幼児の食事用の背の高い椅子を構成することができる。この場合、椅子１７は、その脚の下部に圧入されたナットに、側枠１の挿入穴７を介してボルト１０をねじ込むことにより、この家具に固定する。
【００１９】
さらに、図５に示すように、この家具を単位体として複数個積み上げ、上下のものを連結すると、背の高い棚として使用することもできる。このとき、図６に示すように、上段側から下段側へ挿入穴８を介して連結用ボルト１１を挿通し、挿入穴９に挿入した円筒状ナット１２にボルト１１をねじ込む。
【００２０】
そのほか、図７に示すように、この家具を複数個積み上げた状態において、ハンガーユニット１３を両側枠１の内側に掛け渡すように取り付けると、ハンガーラックとして使用することもできる。
【００２１】
このハンガーユニット１３は、図８に示すように、ハンガーパイプ１４の両端に、保持材１５を嵌合させてボルト１０で固定し、保持材１５の外面にナット１６を圧入したものであり、図７に示すように、側枠１の挿入穴７を介して、取付用ボルト１２を保持材１５のナットにねじ込み、両側枠１に固定する。
【００２２】
上記のような使用法のほか、図９に示すように、この家具を複数個積み上げて形成した背の高い棚又はハンガーラックを間隔をあけて並べ、その間にハンガーユニット１３や棚板となる平板３等を掛け渡すなど、各部材を組み合わせることにより、様々な形態の家具として使用することができる。
【００２３】
【発明の効果】
以上のように、この発明に係る家具は、側枠に対する平板の高さを変化させたり、複数個積み上げたり、ハンバーパイプを取り付けたりして、椅子、机、棚、ハンガーラック等、様々な用途に使用できるので、長期間に亘って活用することができ、天然木を素材に用いると、年月の経過に伴い味わい深いものとなる。
【図面の簡単な説明】
【図１】この発明に係る多用途家具の構成部材を示す分解斜視図
【図２】同上の家具を椅子とした形態を示す斜視図
【図３】同上の家具を机とした形態を示す斜視図
【図４】同上の家具を台とした背の高い食事用椅子の形態を示す斜視図
【図５】同上の家具を積み上げて背の高い棚とした形態を示す斜視図
【図６】同上の連結部分を示す拡大斜視図
【図７】同上の家具をハンガーラックとした形態を示す斜視図
【図８】同上のハンガーユニットを示す斜視図
【図９】同上の二つの棚にハンガーパイプを掛け渡した形態を示す斜視図
【図１０】従来の子供用の椅子を示す斜視図
【符号の説明】
１  側枠
２  背板
３  平板
４，５  横材
６  縦材
７，８，９  挿入穴
１０  取付用ボルト
１１  連結用ボルト
１２  ナット
１３  ハンガーユニット
１４  ハンガーパイプ
１５  保持材
１６  ナット
【図１】
2004313251.tif 000003
【図２】
2004313251.tif 000004
【図３】
2004313251.tif 000005
【図４】
2004313251.tif 000006
【図５】
2004313251.tif 000007
【図６】
2004313251.tif 000008
【図７】
2004313251.tif 000009
【図８】
2004313251.tif 000010
【図９】
2004313251.tif 000011
【図１０】
2004313251.tif 000012